(57)【要約】【課題】本考案は、取扱いが簡単で快適に使用でき、長時間、背筋及び腰椎を伸ばすことができ、腰痛を解消することができる宙吊り式健康器具の提供を目的とするものである。【解決手段】本考案に係る宙吊り式健康器具Ａは、丸棒状でクッション性及び可撓性のある身体支持部１０と、該身体支持部の両端から延出し、各端部が自由端であり、折り返しによる輪奈が形成されてなる係着ロープ２０とからなることを特徴とするものである。【選択図】 図１
0003139933.tif 000002
【実用新案登録請求の範囲】
【請求項１】
丸棒状でクッション性及び可撓性のある身体支持部と、該身体支持部の両端から延出し、各端部が自由端である係着ロープとからなることを特徴とする宙吊り式健康器具。
【請求項２】
係着ロープが身体支持部内を貫通して設けられており、当該係着ロープの両端が輪奈状になっていることを特徴とする請求項１に記載の宙吊り式健康器具。
【請求項３】
係着ロープが環状であって、該係着ロープを直線状に引っ張ることにより２本一束の直線部と両端の折り返し部とを形成し、係着ロープの直線部が身体支持部内を貫通して係着ロープの折り返し部が身体支持部の両端からそれぞれ延出するように構成したことを特徴とする請求項１に記載の宙吊り式健康器具。
【請求項４】
身体支持部が、身体支持部内を貫通する係着ロープを芯にして、該係着ロープの回りに軟質発泡樹脂を巻回して構成されてなることを特徴とする請求項２又は３のいずれか１項に記載の宙吊り式健康器具。
【請求項５】
請求項１〜請求項４のいずれか１項に記載の宙吊り式健康器具と、係着ロープの係着が可能なパイプを有する係着用具とからなることを特徴とする宙吊り式健康器具セット。
【考案の詳細な説明】
【技術分野】
【０００１】
本考案は、宙吊り式健康器具に関し、特に背筋や腰椎を自重により伸ばすことにより腰痛を解消し、また、背筋を伸ばした姿勢に矯正することができる宙吊り式健康器具に関するものである。
【背景技術】
【０００２】
従来より特許文献１に示すような宙吊り式健康器具が知られている。この宙吊り式健康器具は、輪状のベルトを両脇下に保持し、この輪状のベルトを胸前においてロープと連結し、このロープを上方から牽引すると、輪状のベルトが引き上げられると共に身体が持ち上げられることにより体が宙吊りになり、下半身の重量により背筋や腰椎を伸ばすことができる仕組みになっている。
【特許文献１】特開２００１−２２２９２７号
【考案の開示】
【考案が解決しようとする課題】
【０００３】
しかし、上記従来の宙吊り式健康器具においては次のような問題点があった。すなわち、輪状のベルトを使用しているために、このベルトを胸前で上方に引っ張り上げると両脇が引き絞られて胸が締め付けられるので苦痛を覚えるおそれがあり、また、ベルトのような帯状のために、身体と接触する箇所に食い込んで苦痛を覚えるおそれがあるので、快適に使用することができないおそれがあった。
【０００４】
本考案者は、長年、椎間板ヘルニアで苦しみ、その苦痛の日々から何とか逃れたい、楽になりたいと考え、特に自動車の運転席から降りたときにはしばらくの間は腰を伸ばすことができず、前屈みのまま歩くという無様で惨めな格好から解放されることはできないものかと日夜考え抜いた末にやっと辿り着いたのが本考案である。約１年前に重量物の移動をする際、体勢が悪かったために腰に異変を感じてしばらく動けなくなり、翌日、病院での診察の結果、椎間板ヘルニアの再発と診断され、その日から腰の牽引治療を始めたが、通院での牽引治療は時間を要し、また準備や手間などの余分な負担が掛かるので、自宅での牽引治療を相談したところ、牽引治療機が高額であり広いスペースを要するため諦め、そこでいわゆるぶら下がり健康器具を試みてみたが、腕力がある若者ではいざ知らず、中高年以上の者にとっては、パイプを把手してぶら下がるので相当の腕力を要するため長続きせず、途中で止めてしまうのが実情である。そこで、腕力を要せずに、楽々とぶら下がることができるものはないかと考えたの本考案である。
【０００５】
本考案は、上記問題に鑑みて案出されたものであり、取扱いが簡単で快適に使用でき、長時間、背筋及び腰椎を伸ばすことができ、腰痛を解消することができる宙吊り式健康器具の提供を目的とするものである。
【課題を解決するための手段】
【０００６】
本考案に係る宙吊り式健康器具は、丸棒状でクッション性及び可撓性のある身体支持部と、該身体支持部の両端から延出し、各端部が自由端である係着ロープとからなることを特徴とするものである。また、前記係着ロープが身体支持部内を貫通して設けられており、当該係着ロープの両端が輪奈状になっている構成としてもよい。さらに、前記係着ロープが環状であって、該係着ロープを直線状に引っ張ることにより２本一束の直線部と両端の折り返し部とを形成し、係着ロープの直線部が身体支持部内を貫通して係着ロープの折り返し部が身体支持部の両端からそれぞれ延出するように構成としてもよい。前記身体支持部については、身体支持部が、身体支持部内を貫通する係着ロープを芯にして、該係着ロープの回りに軟質発泡樹脂を巻回して構成してもよい。さらにまた、前記の宙吊り式健康器具と、係着ロープの係着が可能なパイプを有する係着用具とからなる宙吊り式健康器具セットとしてもよい。
【考案の効果】
【０００７】
本考案に係る宙吊り健康器具は、水平パイプを両手で把手してぶら下がるのではなく、柔軟な丸棒状の身体支持部から延出する２本の係着ロープを水平パイプに掛け、水平パイプと宙吊り式健康器具とによってできた輪の中に体を潜らせて身体支持部を背中から両脇にかけての位置に来るように装着し、身体支持部に上半身を支持させて、ブランコを乗る際のように左右の係着ロープを手で持ち、足を床から浮き上がらせば下半身の重量により下方に引っ張られるので宙吊りの状態でぶら下がることができる。このようにすれば、腕には重量が掛からず、係着ロープを持っているだけなので腕力が要らず、楽にぶら下がることができる。また、左右の係着ロープは、垂直方向に真っ直ぐ伸びて重量を支えるため、特許文献１に示される従来品のように、両脇が引き絞られないので胸が締め付けられるようなことがなく、快適に使用することができる。
【０００８】
このように本考案に係る宙吊り健康器具は、老若男女を問わず誰でもいつでも簡単に使用することができ、下半身の重量だけで背筋を引っ張る自然な牽引効果により、上半身の背中側が無理なく引き伸ばすことができる。
【０００９】
また、この宙吊り式健康器具と係着ロープの係着が可能なパイプとを組み合わせたセットにすれば、パイプを適当な箇所に水平に配設して宙吊り式健康器具の係着ロープを掛ければ直ぐに使用可能となるので便利である。
【考案を実施するための最良の形態】
【００１０】
以下に本考案の好適な実施例を図１及び図２に基いて詳細に説明する。
【実施例】
【００１１】
図１は宙吊り健康器具の斜視図であり、図２は宙吊り健康器具を構成する係着ロープの斜視図であり、図３は宙吊り健康器具を構成する身体支持部の作成手順を示す斜視図であり、図４は水平パイプに宙吊り健康器具を係着した状態を示す斜視図であり、図５は宙吊り健康器具の使用状態を示す斜視図であり、図６は宙吊り健康器具を使用して宙吊りになった状態を示す斜視図であり、図７は宙吊り健康器具を使用して宙吊りになった状態を背面側から見た斜視図である。
【００１２】
本実施例に係る宙吊り式健康器具Ａは、各図に示されるように身体支持部１０と係着ロープ２０とからなる。身体支持部１０は、丸棒状でクッション性及び可撓性のある材質により形成されており、係着ロープ２０は、身体支持部１０内を貫通して、身体支持部１０の両端から係着ロープ２０の端部２１，２２が延出するように構成される。
【００１３】
前記係着ロープ２０については、図２に示すように、環状の係着ロープ２０を直線状に引っ張ると、２本一束の直線部２３とその両端の折り返し部２１，２２とが形成される。係着ロープ２０の作成方法を具体的に説明すると、まず、長さ３６２ｃｍ、直径９ｍｍのビニロン製ロープ１本を用意し、その端部同士をさつま加工により連結すれば（連結によりロープが短縮される長さを２２ｃｍとする）、周長３４０ｃｍ、直線状に引っ張って２本束ねた場合の長さが１７０ｃｍの環状ロープが作成される。なお、ロープの長さ及び太さ及びその材質、及び環状ロープに形成した場合の長さは上記のものに限られるものではなく、使用する場所の状況、使用者の体格及び体重により適宜変更する。環状ロープの長さとしては１５０ｃｍ〜１９０ｃｍの範囲が好ましく、１５０ｃｍ未満であると後述するように身体を宙吊り状態にしたときに頭が使える場合があり、１９０ｃｍを越える場合には、足が使えると身体を宙吊り状態にできず、また、身体を宙吊り状態にしたときに揺れが大きくなる可能性がある。なお、短く形成し、必要に応じて他のロープを連結して適宜長さに延長可能なように構成してもよい。また、ロープの連結もさつま加工に限られるものではなく、十分な強度が得られるのであれば、どのような連結方法でもよい。
【００１４】
前記身体支持部１０については、図３（ａ）に示すように、前記環状の係着ロープ２０を、さつま加工による連結部分２４を中央にして直線状に引っ張って２本束ねた直線部２３を芯にして、まず、その回りに長さ１００ｃｍ、幅４０ｃｍ（幅は巻き付け方向における巻き付け長さ）のタオル地１１を巻き付けてタオル巻き付け芯を作成する。この場合、直線部２３におけるさつま加工による連結部分２４が若干太くなっているので、さつま加工による連結部分２４に当接するタオル地１１の一部分を適宜切除してタオル巻回後のタオル巻き付け芯の太さが均一化するように調整する。なお、必ずしも係着ロープ２０の直線部２３にタオル地を巻き付ける必要はなく、係着ロープ２０の直線部２３を次記する筒体１２に直接埋め込んでもよいが、直線部２３は身体に当接する部分になるので、均一化しておく方が望ましい。
【００１５】
次に、このようにして作成されたタオル巻き付け芯を、図３（ｂ）に示すように、内径３０ｍｍ、外形５０ｍｍ、長さ１００ｃｍの発泡ポリエチレン製の長さ方向に切り目１２ａのある筒体１２内に埋め込み、切り目１２ａを接着テープにより被覆閉塞して太巻き芯を作成する。なお、筒体としては、切り目を覆うように接着できるテープが付属しているパイプカバー等を使用するのが便利である。また、筒体の材質としては、柔軟性のあるものであればよく、発泡ポリプロピレン製でもよい。
【００１６】
そして、前記太巻き芯に対して、図３（ｃ）に示すように、その回りに丈夫な太めの糸１３を巻き付けて糸巻き太芯を作成する。これにより、太巻き芯をＵ字状に曲げたときに内部のタオル巻き付け芯が外部に出てこなくなり、また、太巻き芯全体に強度をもたせると共に適度の硬さをもたせることができる。
【００１７】
前記糸巻き太芯に対して、図３（ｄ）に示すようにその回りに幅１ｍ、長さ２．７ｍ（長さは巻き付け方向における巻き付け長さ）の軟質樹脂シート１４（例えば発泡ポリエチレンシート）を巻き付け、その巻き終わり部分を接着テープを接着して固定し、糸巻き太芯の長さ方向の両端部を、軟質樹脂シート１４の端縁を包み隠すように接着テープを接着して閉塞する。最後に、図３（ｅ）に示すように、その全体を伸縮性生地にて筒状に形成したカバー１５により包み込んで身体支持部１０が完成する。
【００１８】
このように作成することにより、身体支持部１０の両端から延出する係着ロープ２０の自由端２１、２２が折り返されて輪奈状となり、宙吊り健康器具Ａが完成する。なお、１本の太めの係着ロープを使用し、その両端部をさつま加工により輪奈を形成し、係着ロープの中央部約１ｍの間に前述した手順により身体支持部を形成してもよく、また、両端に輪奈を形成せずに、くくりつけることができるようにしてもよい。
【００１９】
上記の身体支持部１０は、長さ１７０ｃｍの係着ロープ２０に対して、１００ｃｍの長さとして設計したものであるが、係着ロープの長さに対して適宜変更してもよく、使用者の体格に応じて適宜変更してもよい。身体支持部の長さとしては８０ｃｍ〜１２０ｃｍの範囲が好ましく、８０ｃｍ未満であると後述するように身体を宙吊り状態にしたときに身体支持部と系着ロープとの境界が脇付近に位置する可能性があって好ましくなく、１２０ｃｍを越えると身体を宙吊り状態にしたときに手で握る部分が係着ロープではなく身体支持部になる可能性があり、握りにくくなる上、材料の無駄が生ずる。また、巻き付けるタオル地１１の幅、筒体１２の厚み及び外径及び軟質樹脂シート１４の長さは、身体支持部の最終完成品の太さを考慮し、使用者の体格に合わせて適宜変更する。なお、身体支持部の太さは４０ｍｍ〜８０ｍｍの範囲が好ましく、４０ｍｍ未満であると、後述するように身体を宙吊り状態にしたときに、細いこと及びクッション材が少ないため内部の係着ロープの硬さが身体に伝わることにより違和感を覚える場合があり、８０ｍｍを越える場合には、クッション性をかなり大きくしなければ、身体を宙吊り状態にしたときに、脇下において窮屈感を覚える可能性があり、あまりクッション性が大きいと身体支持の安定性が低下する可能性がある。
【００２０】
次に、前記係着ロープＡの係着が可能なパイプ３０を有する係着用具Ｂについて説明する。パイプ３０は、図４に示すように、水平を保持するように２本の支柱３１、３２により管継手を介して支持固定されている。この２本の支柱３１、３２は、その直立姿勢を維持するために、支柱３１に対して支持軸３１ａ、３１ｂが斜め下方から管継手を介して取り付けられ、支柱３２に対して支持軸３２ａ、３２ｂが斜め下方から管継手を介して取り付けられている。そして、支柱３１、３２及び支持軸３１ａ、３１ｂ、３２ａ、３２ｂが矩形状をなすベースフレーム３３に管継手を介して取り付けられ、固定されている。ベースフレーム３３の中間に管継手を介して取り付けられた中間軸３３ａはベースフレーム３３の強度を付与するためのものである。なお、係着用具は、このような構成のものに限られるものではなく、宙吊り式健康器具の係着ロープが係着できるパイプを有していればよく、このパイプを水平に保持して宙吊り式健康器具の係着ロープを掛けることができれば、宙吊り式健康器具の機能を果たすことが可能となる。
【００２１】
上記構成よりなる係着用具Ｂに、図４に示すように、前記した宙吊り式健康器具Ａが、カラビナなどの開閉式環状連結具ａ、ｂ、ｃ、ｄを介して取り付けられる。このようにして宙吊り式健康器具Ａを係着用具Ｂに取り付けることにより、係着ロープ２０が上方に垂直に伸びる状態となる。
【００２２】
次に、前記宙吊り式健康器具Ａの使用方法について説明する。前述したように、柔軟な丸棒状の身体支持部１０から延出する２本の係着ロープ２０のそれぞれの端部２１、２２を水平パイプ３０に掛け、水平パイプ３０と宙吊り式健康器具Ａ、すなわち身体支持部１０と左右２本の係着ロープ２０とによってできた輪の中に体を潜らせて、図５に示すように、身体支持部１０を身体の背中から両脇にかけての位置に来るように装着する。そして、図６及び図７に示すように、身体支持部１０に身体の上半身を支持させて、ブランコに乗る際のように左右の係着ロープ２０を手で持ち、足を床から浮き上がらせば、上半身が下半身の重量により下方に引っ張られた宙吊りの状態となる。
【００２３】
このようにすれば、腕には重量が掛からず、また、手は係着ロープ２０を持っているだけなので腕力が要らない。また、左右の係着ロープ２０は、垂直方向に真っ直ぐ伸びて重量を支えるため、両脇が引き絞られないので胸が締め付けられるようなことがない。したがって、本実施例に係る宙吊り式健康器具Ａを使用すれば、下半身の重量だけで背筋を引っ張る自然な牽引効果により、上半身の背中側が無理なく引き伸ばすことができる。また、宙吊り式健康器具Ａの係着ロープを係着することができるパイプを有する係着用具とがセットなっていると、直ぐに宙吊り式健康器具Ａを設置して使用することかできるので便利である。
【００２４】
上記の実施例は、これに限定されるものではなく、実用新案登録請求の範囲に記載した広範囲な実施形態を包含するものである。
【図面の簡単な説明】
【００２５】
【図１】本考案における実施例の宙吊り健康器具の斜視図である。
【図２】本考案における実施例の宙吊り健康器具を構成する係着ロープの斜視図である。
【図３】本考案における実施例の宙吊り健康器具を構成する身体支持部の作成手順を示す斜視図である。
【図４】本考案における実施例の宙吊り健康器具を水平パイプに係着した状態を示す斜視図である。
【図５】本考案における実施例の宙吊り健康器具の使用状態を示す斜視図である。
【図６】本考案における実施例の宙吊り健康器具を使用して宙吊りになった状態を示す斜視図である。
【図７】本考案における実施例の宙吊り健康器具を使用して宙吊りになった状態を背面側から見た斜視図である。
【符号の説明】
【００２６】
Ａ・・・宙吊り式健康器具
Ｂ・・・係着用具
ａ・・・連結具
ｂ・・・連結具
ｃ・・・連結具
ｄ・・・連結具
１０・・身体支持部
１１・・タオル地
１２・・筒体
１２ａ・切り目
１３・・糸
１４・・軟質樹脂シート
１５・・カバー
２０・・係着ロープ
２１・・係着ロープの折り返し端部（輪奈状）
２２・・係着ロープの折り返し端部（輪奈状）
２３・・係着ロープの直線部
２４・・係着ロープの連結部分
３０・・パイプ
３１・・支柱
３１ａ・支持軸
３１ｂ・支持軸
３２・・支柱
３２ａ・支持軸
３２ｂ・支持軸
３３・・ベースフレーム
３３ａ・中間軸
【図１】
0003139933.tif 000003
【図２】
0003139933.tif 000004
【図３】
0003139933.tif 000005
【図４】
0003139933.tif 000006
【図５】
0003139933.tif 000007
【図６】
0003139933.tif 000008
【図７】
0003139933.tif 000009